(57)【特許請求の範囲】
【請求項１】
本体ケースと、本体ケースから引き出し自在に設けられた尺材とを含む巻尺において、
本体ケースに備えられたマイクと、このマイクを動作状態にするための録音操作手段と、マイクから入力される音声データを記録するための録音手段と、この録音手段に録音された音声データを再生するための再生手段と、この再生手段を動作状態にするための再生操作手段とを含み、
前記録音手段はアドレスが付けられたメモリエリアを備え、
マイクから入力された音声データは、前記アドレスの初めのアドレスから終わりのアドレスに向かって順に記憶されることを特徴とする巻尺。
【請求項２】
録音操作手段が操作されることに合わせてアドレスポインタが更新され、音声データを記憶すべきメモリエリアが指示される請求項１記載の巻尺。
【請求項３】
音声データが前記終わりのアドレスに記憶されると、次の音声データは初めのアドレスに戻って上書きされる請求項１又は２記載の巻尺。
【発明の詳細な説明】
【０００１】
【発明の属する技術分野】
この発明は巻尺に関する。特に、測定した値を音声データとして記録することのできる巻尺に関する。
【０００２】
【従来の技術】
巻尺は、日常生活の色々な場面や、建築現場や、洋裁をする場合等において広く活用されている。ところで、従来の巻尺では、複数の寸法を測定する場合に、測定値を暗記したり、測定の都度メモしなければならないという煩わしさがあった。
【０００３】
たとえば、箪笥の寸法を測定する場合、幅，高さおよび奥行きを測るが、３つの寸法を正確に記憶するのは難しい。それゆえ、幅を測ってその寸法をメモし、高さを測ってはメモし、奥行きを測ってはメモするという煩わしさが伴う。
【０００４】
【発明が解決しようとする課題】
そこで、巻尺で被測定物の寸法を測ったとき、測定値を簡単に記録することができれば便利である。
この発明は、かかる課題を解決するためになされたもので、被測定物の測定寸法を簡単に記録することのできる巻尺を提供することを目的とするものである。
【０００５】
またこの発明は、被測定物の測定値を読み上げたとき、読み上げた音声を記録することのできる巻尺を提供することである。
【０００６】
【課題を解決するための手段】
この発明は、本体ケースと、本体ケースから引き出し自在に設けられた尺材とを含む巻尺において、本体ケースに備えられたマイクと、このマイクを動作状態にするための録音操作手段と、マイクから入力される音声データを記録するための録音手段と、この録音手段に録音された音声データを再生するための再生手段と、この再生手段を動作状態にするための再生操作手段とを含み、前記録音手段がアドレスが付けられたメモリエリアを備え、マイクから入力された音声データは、前記アドレスの初めのアドレスから終わりのアドレスに向かって順に記憶されることを特徴とするものである。
【０００７】
この発明によれば、尺材によって被測定物の長さを測定するごとに、測定した測定値を読み上げる。このとき、録音操作手段を操作しながら読み上げる。すると読み上げられた音声データは、マイクで拾われ、録音手段に録音される。録音手段が、複数の測定値を記録することのできる容量であれば、複数の寸法を連続して測定し、それを音声データとして記録させておくことができる。
【０００８】
そして測定した値は、再生操作手段を操作することによりスピーカやイヤホン等の再生手段から順に出力させることができる。よって、再生手段から聞こえてくる測定値を記録紙等に書き留めればよい。
従って、この発明によれば、複数の測定値を連続して測定することができ、１つの測定値を測定するごとに、いちいちメモを取らなくてもよい。
【０００９】
また、測定した被測定物の寸法を読み上げることにより、測定値を誤って認識してしまうというケアレスミス等を防止できる。たとえば、測定値が「２ｍ５３ｃｍ」のときに、誤って「２ｍ３５ｃｍ」と認識する場合がある。特に、測定値を声に出さず、目で瞬間的に把握しようとしたときに、疲れてきた場合等には、読み取り間違いが生じることがある。この発明によれば、目で読み取った測定値を声に出して読み上げるので、読み上げた際に測定値を再度認識では、測定誤りを減らせるという利点がある。
【００１０】
【発明の実施の形態】
以下には、図面を参照してこの発明の実施形態について詳細に説明をする。
図１は、この発明の一実施形態にかかる録音機能付巻尺の外観構成を示す斜視図である。
この巻尺は、本体ケース１と、本体ケース１に形成された尺材取出口２から引き出し可能な尺材３とを備えている。尺材３の先端には側面形状がＬ字形の係止片４が取り付けられている。
【００１１】
被測定物の寸法を測定する場合、たとえばこの係止片４を被測定物の端に引っ掛け、本体ケース１を被測定物に沿って移動させることによって本体ケース１から尺材３を引き出し、被測定物の他端までの長さを尺材３に刻まれた目盛を読み取ることによって測定する。かかる操作は従来周知の巻尺と同様である。
この巻尺の特徴は、本体ケース１に、マイク５を能動化するための録音ボタン６、スピーカ７、およびスピーカ７を能動化するための再生ボタン８が備えられていることである。さらに不必要時に録音ボタン６および再生ボタン８が作動しないようにするためのロックスイッチ９が備えられている。
【００１２】
なお、１０は尺材巻取りボタンである。
この実施形態にかかる巻尺の特徴は、測定した長さを読み上げることにより、その読み上げた音声データ（測定値）を記録（録音）でき、後にそれを再生できるようにされていることである。この巻尺は、複数の測定値が録音可能であり、後にそれら複数の測定値をスピーカ７から再生することができる仕組みになっている。これにより、たとえば箪笥の寸法を測る場合に、「幅１８０センチ  高さ２０３センチ  奥行き６４センチ」という再生出力を得ることができ、それを聞きながら寸法をメモすることができる。
【００１３】
図２は、この実施形態にかかる巻尺の特徴となる構成を表わす電気的なブロック図である。
この実施形態では、巻尺に備えられた録音，再生機能は、マイクロコンピュータ１１を主体とする回路によって実現されている。具体的に説明すると、マイクロコンピュータ１１には、前述したマイク５、スピーカ７が接続されている。また、マイクロコンピュータ１１に対して信号を入力するための前述した録音ボタン６および再生ボタン８が接続されている。さらに、録音ボタン６および再生ボタン８からマイクロコンピュータ１１への信号入力を禁止するためのロックスイッチ９が、録音ボタン６および再生ボタン８の信号線に関連して備えられている。
【００１４】
さらに、この巻尺には、この回路に駆動電源を供給するための電源電池１２を装着できるようになっている。
マイクロコンピュータ１１には音声データを録音するためのメモリ１３が内蔵されている。メモリ１３は、図３に示すように、録音される音声データが、アドレス００からアドレスＸＸに向かって順に記憶され、アドレスＸＸに来ると、次いでアドレス００から音声データが上書きされる。
【００１５】
図４は、この巻尺におけるマイクロコンピュータ１１によって実行される音声データの録音および再生のための制御動作を表わすフローチャートである。次に、図４の流れに沿って、巻尺の使用方法と関連づけながら、音声データの録音および再生の仕方について説明をする。
図１に示す本体ケース１から、尺材３を引き出し、被測定物の長さを測定する。使用者は、尺材３に刻まれた目盛によって長さを測定するが、このとき、測定した長さを読み上げる。読み上げる際には、ロックスイッチ９をオフにした状態で、録音ボタン６を押した状態（録音ボタン６がオン状態）で行う（図４のステップＳ１，Ｓ２）。読み上げる際には、マイク５に口を近づけて長さを読み上げる。長さ以外に、たとえば「箪笥の幅１２０センチ」や「袖丈８６センチ」のように、その長さが何の長さであるかの情報も一緒に録音することができる。読み上げられた音声データは、マイク５を通してマイクロコンピュータ１１に取り込まれ、メモリ１３に録音される（ステップＳ３）。
【００１６】
録音ボタン６の押圧を止めると、録音が停止され、メモリエリアのアドレスを示すアドレスポインタが更新される（ステップＳ４）。このアドレスポインタの更新により、次に録音を開始すべきメモリエリアが指示される。それゆえ前回のデータに重なるような録音は行われない。
一方、ロックスイッチ９がオフ状態で、再生ボタン８が押圧されると、押圧されている間、メモリ１３の内容が読み出されて、スピーカ８からその内容が出力される（ステップＳ５，Ｓ６）。よって、使用者は、測定した長さを、後でまとめてスピーカ７から聞き、聞いた長さを用紙等に記録することができる。
【００１７】
つまり、巻尺によって長さを測定するときには、巻尺に長さを順次吹き込んでいき、録音された長さを後で再生することができるので、長さを測定する度に、その長さをメモする必要がなく、手際良く複数の長さを測定することができる。また測定した長さを正しく後で書き留めることができる。
再生ボタン８の押圧が終わると、再生のためのアドレスポインタが更新される（ステップＳ７）。次の再生時には、このアドレスポインタによって指示されたアドレスからの再生が行われる。
【００１８】
上述の実施形態では、スピーカ７が備えられた巻尺を例にとったが、スピーカ７に代えて、イヤホンジャックが備えられていてもよい。スピーカ７に比べて、イヤホンジャックが備えられている実施形態の場合、動作の際に消費する電源が少ないので、小型の電池で長時間動作可能な巻尺となる。
【００１９】
また上述の実施形態では、録音内容を削除するボタンは備えられていないが、録音内容を一括して削除する削除ボタンを設けてもよい。
さらに、一般にマイクとスピーカとは、ほぼ類似の構成であり、小さな出力であれば、マイクをスピーカとして使用することができ、逆にスピーカをマイクとして使用することもできる。それゆえマイクおよびスピーカを別々に設けず、マイクとスピーカとを兼用にした、切換型のマイク／スピーカ素子を組み込んだ巻尺としてもよい。
【００２０】
さらに、上述の実施形態では、図１において、尺材３の先端に係止片４が備えられた、尺材３がたとえば金属等で構成された巻尺を例にとったが、尺材３が布製等の洋裁等に使用する巻尺に適用可能なことはもちろんである。
【００２１】
その他、この発明は、請求項記載の範囲内で種々の変更が可能であり、上述の各実施形態に限定されるものではない。
【００２２】
【発明の効果】
この発明によれば、複数の長さを測定する場合に、測定の度に長さをメモする必要がなく、測定がスムーズにかつ正確に行える巻尺を提供できる。
【図面の簡単な説明】
【図１】この発明の一実施形態にかかる巻尺の外観構成を示す斜視図である。
【図２】この発明の一実施形態にかかる巻尺の特徴となる構成を表わす電気的な構成ブロック図である。
【図３】この発明の一実施形態に用いられているメモリの録音および再生順序を表わす図解図である。
【図４】図２の回路におけるマイクロコンピュータ１１の制御動作を表わすフローチャートである。
【符号の説明】
１    （巻尺の）本体ケース
３    尺材
５    マイク
６    録音ボタン
７    スピーカ
８    再生ボタン
９    ロックスイッチ
１１    マイクロコンピュータ
１３    メモリ
【図１】
0003818718.tif 000002
【図２】
0003818718.tif 000003
【図３】
0003818718.tif 000004
【図４】
0003818718.tif 000005